(57)【特許請求の範囲】
【請求項１】
前面にソケットが設けられた器具本体と、ソケットに着脱自在に装着されるランプと、両端のエンド部が開口する筒状に形成されるとともに両エンド部と一体につながらず且つ長手方向に沿った開口窓を有しこの開口窓よりランプ及びソケットを内部へ挿入するようにして器具本体の前面に着脱自在に被着される硝子製のグローブと、器具本体の一端より前面側へ突設されグローブの一端のエンド部と嵌合する固定エンドキャップと、器具本体の他端に着脱自在に取着されるとともにグローブの他方のエンド部に被嵌されて固定エンドキャップとともにグローブを挟持する可動エンドキャップと、可動エンドキャップ固定用の固定ねじが螺合するねじ孔をグローブの長手方向においてエンド部と対向する先端部に有し、先端部近傍を可動エンドキャップが被嵌される側のエンド部と開口窓との間のグローブの周縁部内壁にグローブの長手方向と交差する方向において対向させて器具本体の前面に立設される固定金具とを備えたことを特徴とする照明器具。
【発明の詳細な説明】
【０００１】
【産業上の利用分野】
本発明は、ランプが着脱自在に装着されるソケットが前面に設けられた器具本体に、筒状に形成された硝子製のグローブをランプ及びソケットを覆うようにして器具本体の前面に被着してなる照明器具に関するものである。
【０００２】
【従来の技術】
従来、ランプが着脱自在に装着されるソケットが前面に設けられた器具本体に、筒状に形成された硝子製のグローブをランプ及びソケットを覆うようにして器具本体の前面に被着してなる照明器具としては、図５に示すように化粧台等の鏡１１の上方あるいは側方に配設されて、鏡１１及び化粧台の周囲を照明するようにした照明器具があった。
【０００３】
この照明器具は、図６及び図７に示すように、矩形板状の器具本体１２の一端に略円形に形成されたエンドキャップ１３を取着し、このエンドキャップ１３に直管型の蛍光ランプ１４が着脱自在に装着されるソケット１５を設け、断面形状が略Ｃ状であって合成樹脂を押出成形してなるグローブ１６を器具本体１２に被着して蛍光ランプ１４を覆い、グローブ１６の開口側端部を断面略コ字状に形成された器具本体１２に係止させ、合成樹脂製のグローブ１６の弾性を利用してグローブ１６を器具本体１２に係止固定してある。
【０００４】
また、図８及び図９は別の従来構成を示すものであって、この照明器具は、矩形状に形成された器具本体１７の前面に白熱ランプＬａが着脱自在に装着されるソケット１８を設け、器具本体１７の長手方向両端に略半円板状のエンド板１９を立設し、硝子板を加熱して屈曲することによって断面略Ｕ状に形成されたグローブ２０を器具本体１７の前面に取着し、グローブ２０の両端前面に設けられたねじ挿通孔２０ａに固定ねじ２１を挿通し、この固定ねじ２１をエンド板１９に突設された固定片２２に穿設されたねじ孔２２ａに螺合してグローブ２０を器具本体１７に固定したものである。
【０００５】
【発明が解決しようとする課題】
ところが、上記従来構成のうち前者の構成では、グローブ１６が合成樹脂製であるが故に耐熱温度の点から蛍光ランプ１４を使用しているため、演色性に乏しく、また、鏡に顔を映して化粧の仕上がり具合を確認しようとした場合、面一な照明のために上記の確認がしにくかった。また、グローブ１６を合成樹脂で形成すると、照明器具が配設される室内の内装に比較してグローブ１６の外観が貧弱な仕上がりとなり、見栄えが悪いという問題があった。
【０００６】
一方、上記後者の従来構成では、硝子製のグローブ２０を器具本体１７に固定するための固定ねじ２１が前面側にあり、白熱ランプＬａを点灯させたときに固定ねじ２１や固定片２２あるいはエンド板１９等の影がグローブ２０に映るために見栄えが悪いという問題があった。また、固定ねじ２１を取り外したときにグローブ２０が器具本体１７から脱落してしまい、しかも硝子製のグローブ２０は断面形状が略Ｕ形であるために強度的に弱く、落下して破損する危険があるという問題があった。
【０００７】
本発明は上記問題点の解決を目的とするものであり、グローブの強度と見栄えとをよくするとともに、グローブの脱落を防止した照明器具を提供しようとするものである。
【０００８】
【課題を解決するための手段】
本発明は、上記目的を達成するために、前面にソケットが設けられた器具本体と、ソケットに着脱自在に装着されるランプと、両端のエンド部が開口する筒状に形成されるとともに両エンド部と一体につながらず且つ長手方向に沿った開口窓を有しこの開口窓よりランプ及びソケットを内部へ挿入するようにして器具本体の前面に着脱自在に被着される硝子製のグローブと、器具本体の一端より前面側へ突設されグローブの一端のエンド部と嵌合する固定エンドキャップと、器具本体の他端に着脱自在に取着されるとともにグローブの他方のエンド部に被嵌されて固定エンドキャップとともにグローブを挟持する可動エンドキャップと、可動エンドキャップ固定用の固定ねじが螺合するねじ孔をグローブの長手方向においてエンド部と対向する先端部に有し、先端部近傍を可動エンドキャップが被嵌される側のエンド部と開口窓との間のグローブの周縁部内壁にグローブの長手方向と交差する方向において対向させて器具本体の前面に立設される固定金具とを備えたことを特徴とする。
【０００９】
【作用】
上記構成では、硝子製のグローブは両端のエンド部の開口と長手方向に沿った開口窓とが一体に繋がっていないから、従来の曲げ硝子よりなるグローブに比較してグローブの強度を上げることができ、また、器具本体の前面に立設された固定金具の先端部近傍がグローブの周縁部内壁にグローブの長手方向と交差する方向において対向させてあるから、グローブが前方の脱落方向へ動いても固定金具がグローブの周縁部内壁に干渉し、照明器具を造営面に縦横いずれの方向から取り付けてもグローブの脱落を防止することができ、さらに、グローブは固定エンドキャップと器具本体に立設された固定金具に固定ねじで固定される可動エンドキャップとで挟持されるから、グローブを固定するための固定ねじは可動エンドキャップ側にのみ使用すればよく、しかも、固定ねじが螺合されるねじ孔が設けられた固定金具の先端部はグローブのエンド部と対向させて器具本体に立設してあるから、固定金具あるいは固定ねじの影がグローブに映るのを防いで見栄えを良くすることができるものである。
【００１０】
【実施例】
以下、本発明の一実施例を図１〜４を参照して詳細に説明する。なお、本実施例においては、化粧台等の上方あるいは側方に配設されて化粧台の鏡やその周囲を照明するいわゆるミラーライトと呼ばれる照明器具について説明するが、これに限定する主旨ではなく、硝子製のグローブを備えた照明器具であれば本発明の技術思想を適用することは可能である。
【００１１】
図１は本実施例における照明器具の分解斜視図を示すものである。この照明器具は、白熱ランプＬａが着脱自在に装着されるソケット２を前面側の両端近傍に設けた矩形板状の器具本体１と、両端のエンド部４が開口する筒状に形成されるとともに長手方向に沿った矩形状の開口窓５を有する硝子製のグローブ３と、器具本体１の一方の端部に固定されてグローブ３のエンド部４と嵌合する略円形の固定エンドキャップ６と、器具本体１の他方の端部に着脱自在に取着されてグローブ３の他方のエンド部４に被嵌される可動エンドキャップ７とを備えている。
【００１２】
器具本体１は、矩形板状の部材の長手方向に沿った両長辺より側壁を立ち上げて断面略コ字形に形成してある。器具本体１の略中央部には、ソケット２への電源供給を行うための電源線を引き込む電線引込孔１ａや、器具本体１を壁面等の造営面に配設するための固定用のねじなどを挿通するねじ挿通孔１ｂなどが設けてある。
【００１３】
白熱ランプＬａが着脱自在に装着されるソケット２は、器具本体１の前面側に取り付けられたソケット取付金具８によって器具本体１の前面側に配設されている。このソケット取付金具８は、器具本体１の前面の両端近傍にねじによって固定してあって、ソケット２が取り付けられる取付面が互いに対向するように器具本体１の前面側より突出させてある。
【００１４】
２個のソケット２は、互いにランプ装着方向を略一致させ、且つ、器具本体１の中央部を挟んで各々のランプ装着面を対向させて、それぞれの後端部をソケット取付金具８に固定してある。ここで、２つのソケット取付金具８のうち一方のソケット取付金具８には、後述する可動エンドキャップ７を固定するための固定金具９が一体に形成してある。
【００１５】
上記固定金具９は、ソケット取付金具８の器具本体１に固定されている固定片８ａより器具本体１の前面側に略垂直に立ち上げるとともに器具本体１の端部側へ屈曲させ、さらに、その先端部に可動エンドキャップ７を固定するための固定ねじ１０が螺合するねじ孔９ａが設けてある。
また、器具本体１の前面には硝子製のグローブ３が着脱自在に被着されるようになっており、このグローブ３は、その長手方向に沿って設けられた矩形状の開口窓５から、器具本体１の前面に配設されているソケット２及びソケット２に装着された白熱ランプＬａを内部へ挿入してそれらを覆うものである。すなわち、図２に示すように、このグローブ３は円筒状の硝子管を加工して形成されるものであって、両端のエンド部４が外鍔部４ａを備えて丸形に開口し、長手方向に沿って矩形の開口窓５が形成してある。なお、開口窓５の周囲には枠状の周囲壁５ａが外側に向けて突設させてある。ここで、グローブ３の両エンド部４の開口と上記開口窓５とは一体につながっておらず、従来例において説明したような断面略Ｕ形の硝子製グローブ１６に比較してグローブ単品の強度を上げることができ、そのため梱包も容易になるものである。
【００１６】
一方、器具本体１の固定金具９が取り付けられていない方の端部には、全周に渡って側壁が立設された略円形の固定エンドキャップ６が取付固定してある。この固定エンドキャップ６は、器具本体１の前面に被着されるグローブ３の一方のエンド部４の外鍔部４ａと嵌合してそのエンド部４の開口を塞ぎ、さらに可動エンドキャップ７とともに器具本体１に被着されたグローブ３を挟持して固定するものである。
【００１７】
また、可動エンドキャップ７は、固定エンドキャップ６と略同一の形状に形成してあって、その中央よりやや背方に固定ねじ１０が挿通される挿通孔７ａが設けてあり、図３に示すように器具本体１の前面に被着されたグローブ３の一方のエンド部４の外鍔部４ａに被嵌され、そのエンド部４の開口を塞ぐとともに、固定ねじ１０によって、図４に示すようにその先端部がエンド部４の開口から外部を臨むように配設された固定金具９に固定され、上述のように固定エンドキャップ６とともにグローブ３を挟持するものである。
【００１８】
また、グローブ３を器具本体１に被着するには次のようにして行う。すなわち、図１中に矢印で示したように、グローブ３の開口窓５内に固定金具９を挿入してからグローブ３を固定エンドキャップ６側にスライドさせ、可動エンドキャップ７をグローブ３のエンド部４に被着して固定ねじ１０で固定する。ここで、図３に示すようにグローブ３を器具本体１の前面に被着した状態では、可動エンドキャップ７が被嵌される側のエンド部４と開口窓５との間のグローブ３の周縁部内壁にグローブ３の長手方向と交差する方向において固定金具９が対向させてあるから、固定金具９が抜け止めとなってグローブ３が前面側の脱落方向へ動いても、固定金具９がグローブ３の周縁部内壁に干渉し、グローブ３の脱落を防止することができるのである。
【００１９】
上記構成では、化粧台等の鏡の上方或いは側方に配設されることの多い、いわゆるミラーライトと呼ばれる照明器具において、可動エンドキャップ７を固定する固定金具９によってグローブ３の抜け止めがなされるから、鏡の上方に横付けされる場合でも、或いは鏡の側方に縦付けされる場合でも、グローブ３の脱落防止を図ることができる。また、グローブ３を固定するために使用されるねじは、可動エンドキャップ７を固定するための固定ねじ１０の１本だけでよく、しかも、この固定ねじ１０は器具本体１の側方より螺着されているため、白熱ランプＬａを点灯させた時に従来例のようにグローブ３に影が映るようなことがなく、照明器具としての見栄えを良くすることができる。特に、可動エンドキャップ７側を上にして縦付けされた場合には、固定ねじ１０が視界に入ることがなく、さらに、見栄えを良くすることができる。なお、本実施例においては光源として白熱ランプＬａを用いており、蛍光ランプに比して演色性に優れていることから鏡に顔を映して化粧の仕上がり具合を確認するのが容易になるという利点もある。
【００２０】
【発明の効果】
本発明は、前面にソケットが設けられた器具本体と、ソケットに着脱自在に装着されるランプと、両端のエンド部が開口する筒状に形成されるとともに両エンド部と一体につながらず且つ長手方向に沿った開口窓を有しこの開口窓よりランプ及びソケットを内部へ挿入するようにして器具本体の前面に着脱自在に被着される硝子製のグローブと、器具本体の一端より前面側へ突設されグローブの一端のエンド部と嵌合する固定エンドキャップと、器具本体の他端に着脱自在に取着されるとともにグローブの他方のエンド部に被嵌されて固定エンドキャップとともにグローブを挟持する可動エンドキャップと、可動エンドキャップ固定用の固定ねじが螺合するねじ孔をグローブの長手方向においてエンド部と対向する先端部に有し、先端部近傍を可動エンドキャップが被嵌される側のエンド部と開口窓との間のグローブの周縁部内壁にグローブの長手方向と交差する方向において対向させて器具本体の前面に立設される固定金具とを備えたので、硝子製のグローブはその両端のエンド部の開口と長手方向に沿った開口窓とが一体に繋がっていないから、従来の曲げ硝子よりなるグローブに比較してグローブの強度を上げることができるという効果がある。また、器具本体の前面に立設された固定金具の先端部近傍がグローブの周縁部内壁にグローブの長手方向と交差する方向において対向させてあるから、グローブが前方の脱落方向へ動いても固定金具がグローブの周縁部内壁に干渉し、照明器具を造営面に縦横いずれの方向から取り付けてもグローブの脱落を防止することができるという効果がある。さらに、グローブは固定エンドキャップと器具本体に立設された固定金具に固定ねじで固定される可動エンドキャップとで挟持されるから、グローブを固定するための固定ねじは可動エンドキャップ側にのみ使用すればよく、しかも、固定ねじが螺合されるねじ孔が設けられた固定金具の先端部はグローブのエンド部と対向させて器具本体に立設してあるから、固定金具あるいは固定ねじの影がグローブに映るのを防いで見栄えを良くすることができるという効果がある。
【図面の簡単な説明】
【図１】本発明の一実施例を示す分解斜視図である。
【図２】同上のグローブを示す斜視図である。
【図３】同上の要部を示す側面断面図である。
【図４】同上を示す正面図である。
【図５】従来例を示す斜視図である。
【図６】同上を示す分解斜視図である。
【図７】同上を示す正面断面図である。
【図８】他の従来例を示す分解斜視図である。
【図９】同上を示す正面断面図である。
【符号の説明】
１  器具本体
２  ソケット
３  グローブ
４  エンド部
５  開口窓
６  固定エンドキャップ
７  可動エンドキャップ
８  ソケット取付金具
９  固定金具
１０  固定ねじ
Ｌａ  白熱ランプ
【図１】
0003829337.tif 000002
【図２】
0003829337.tif 000003
【図３】
0003829337.tif 000004
【図４】
0003829337.tif 000005
【図５】
0003829337.tif 000006
【図６】
0003829337.tif 000007
【図７】
0003829337.tif 000008
【図８】
0003829337.tif 000009
【図９】
0003829337.tif 000010